(57)【特許請求の範囲】
【請求項１】
便器本体の上面に支持される一端部と、該一端部から所定距離離れた他端部とを有し、該一端部と該他端部とで形成する軸心を中心として回動する便座本体を備えた便座装置において、
前記所定距離離れた一端部と他端部との間に形成した軸心上に、前記便座本体に着座した人の局部に洗浄水を噴出するノズルを配設したことを特徴とする便座装置。
【請求項２】
便器本体の上面に支持される一端部と、該一端部から所定距離離れた他端部とを有し、該一端部と該他端部とで形成する軸心を中心として回動する便座本体および便蓋本体を備えた便座装置において、
前記所定距離離れた一端部と他端部との間に形成した軸心上に、前記便座本体に着座した人の局部に洗浄水を噴出するノズルを配設したことを特徴とする便座装置。
【請求項３】
請求項１ないし２いずれかに記載の便座装置において、
前記一端部および／または他端部を支持する回動支持部材と、該回動支持部材と連携して、前記便座本体と前記便器本体とのなす角度が所定値に達したとき、前記便座本体が閉じ方向に回動することを阻止する阻止部材と、を備えたことを特徴とする便座装置。
【請求項４】
請求項３に記載の便座装置において、
前記便座本体は、人が着座可能な着座面から前記軸心までの垂直距離が３０ｍｍ以下であることを特徴とする便座装置。
【請求項５】
請求項４に記載の便座装置において、
前記回動支持部材は、前記便器本体に装着されるための底壁と、該底壁と共に前記ノズルを収納する収納空間を形成する覆壁とを備えたことを特徴とする便座装置。
【請求項６】
請求項５に記載の便座装置において、
前記回動支持部材は、前記覆壁の側面であって、かつ前記軸心よりも前記着座面側に前記ノズルから洗浄水が噴出するか否かを操作する操作部を備えたことを特徴とする便座装置。
【請求項７】
請求項５に記載の便座装置において、
前記覆壁の上面後端を前記底壁の後端よりも前記便座本体の着座面側としたことを特徴とする便座装置。
【請求項８】
請求項６ないし７のいずれかに記載の便座装置において、
前記便蓋本体は、前記便器本体の上面を閉じた閉状態にあるときに、前記便座本体の着座面から該便蓋本体の上面までの垂直距離を２０ｍｍ以下としたことを特徴とする便座装置。
【発明の詳細な説明】
【０００１】
【発明の属する技術分野】
本発明は、便座装置の改良に関する。
【０００２】
【従来の技術】
従来、便器本体の上面に支持される一端部と、該一端部から所定距離離れた他端部とを有し、該一端部と該他端部とで形成する軸心を中心として回動する便座本体を備えた便座装置が知られている。
【０００３】
一方、便座本体に着座した人の局部に洗浄水を噴出する局部洗浄装置も知られている。この局部洗浄装置は、洗浄水を噴出するためにノズルを備えることが一般である。
【０００４】
【発明が解決しようとする課題】
従来の便座装置に局部洗浄装置を組み込もうとした場合、便座装置に局部洗浄装置を収納するためのスペースを確保しなければならないため、必然的に便座装置が大型化してしまい、結果的には、便座本体の人が着座できる着座面積が減少し、人が便座本体に着座しにくいという課題が新たに提案されている。
【０００５】
すなわち、従来の便座装置は、局部洗浄装置を組み込むことにより、付加価値は高めたものの、装置が大型化し、便座装置の本来的な機能に支障を来たしていたのである。
【０００６】
【課題を解決するための手段】
上記課題を解決するためになされた第一の発明の便座装置は、便器本体の上面に支持される一端部と、該一端部から所定距離離れた他端部とを有し、該一端部と該他端部とで形成する軸心を中心として回動する便座本体を備えた便座装置において、前記所定距離離れた一端部と他端部との間に形成した軸心上に、前記便座本体に着座した人の局部に洗浄水を噴出するノズルを配設した。
【０００７】
また、上記課題を解決するためになされた第二の発明の便座装置は、便器本体の上面に支持される一端部と、該一端部から所定距離離れた他端部とを有し、該一端部と該他端部とで形成する軸心を中心として回動する便座本体および便蓋本体を備えた便座装置において、前記所定距離離れた一端部と他端部との間に形成した軸心上に、前記便座本体に着座した人の局部に洗浄水を噴出するノズルを配設した。
【０００８】
第一、第二発明の便座装置によれば、所定距離離れた一端部と他端部との間に形成した軸心上にノズルを配設したので、軸心とノズルとの間にデットスペースが形成されず、装置が大型化することを回避でき、結果的には、便座本体における人が着座できる着座面積が減少しない。つまり、付加価値を高めつつ、装置が大型化し、便座装置の本来的な機能に支障を来たすことを回避できる。
【０００９】
また、前記一端部および／または他端部を支持する回動支持部材と、該回動支持部材と連携して、前記便座本体と前記便器本体とのなす角度が所定値に達したとき、前記便座本体が閉じ方向に回動することを阻止する阻止部材と、を備えた場合には、便座本体および便蓋本体が閉じるときの便器本体への衝撃を和らげることができ、便座本体および便蓋本体が破損することを回避できる。
【００１０】
また、前記便座本体が、人が着座可能な着座面から前記軸心までの距離が３０ｍｍ以下である場合には、着座した人の尾骨が軸心部に当たることを回避できるため、座り心地がよい。
【００１１】
また、前記回動支持部材が、前記便器本体に装着されるための底壁と、該底壁と共に前記ノズルを収納する収納空間を形成する覆壁とを備えた場合には、ノズルを隠蔽することができ、外乱から保護できるし、外観も良好となる。
【００１２】
また、前記回動支持部材が、前記覆壁の側面であって、かつ前記軸心よりも前記着座面側に前記ノズルから洗浄水が噴出するか否かを操作する操作部を備えた場合には、着座した人と操作部との距離が近くなるので操作しやすい。
【００１３】
また、前記覆壁の上面後端を前記底壁の後端よりも前記便座本体の着座面側とした場合には、使用者が視認する便座装置の面積が小さくなるので、外観が良好であるとともに、装置も小型化できる。
【００１４】
また、前記便蓋本体が、前記便器本体の上面を閉じた閉状態にあるときに、前記便座本体の着座面から該便蓋本体の上面までの距離を２０ｍｍ以下とした場合には、使用者が視認する便座装置の面積が小さくなるので、外観が良好であるとともに、装置も小型化できる。
【００１５】
【発明の実施の形態】
以上説明した本発明について、その構成を一層明らかにするために、以下に本発明の好適な実施形態について図１〜図３を用いて説明する。
【００１６】
図１は、本発明に係る便座装置１０の外観を示す斜視図である。図１において、１２は、人が着座するための着座面を備えた便座本体であり、洗剤に対しての強度が高いポリプロピレンを材料として形成されている。１４は、便器本体（図示しない）の蓋としての便蓋本体であり、便座本体１２と同じく洗剤に対しての強度が高いポリプロピレンを材料として形成されている。１６は、便座本体１２の一端部１２ａや他端部１２ｂおよび便蓋本体１４の一端部１４ａや他端部１４ｂを支持し、かつ便器本体に装着される回動支持部材であり、便座本体１２や便蓋本体１４と同じく洗剤に対しての強度が高いポリプロピレンを材料として形成されている。１８は、洗浄水源からノズル（後述する）へ通じる通路を開閉するための操作部であり、回動支持部材１６に取付けられている。
【００１７】
図２は、便座装置１０の側面図を示す。図２において、１２ｃは、便座本体１２の軸心であり、便座本体１２はこの軸心１２ｃを中心として回動する。同じように、１４ｃは、便蓋本体１４の軸心であり、便蓋本体１４はこの軸心１４ｃを中心として回動する。１２ｄは、便座本体１２の着座面であり、軸心１２ｃからの垂直距離Ｌ１が３０ｍｍに、また便蓋本体１４の上面１４ｄからの垂直距離Ｌ２が２０ｍｍになるよう設計されている。２０は、人体の局部に対して洗浄水を噴出するノズルである。このノズル２０は、軸心１２ｃ、１４ｃ上に配設されており、軸心１２ｃ、１４ｃとの間にデッドスペースを形成しないよう配慮されている。１６ａは、回動支持部材１６を構成する部材の一つである覆壁、１６ｂは、同じく回動支持部材１６を構成する部材の一つであり、便器本体に装着されるための底壁である。
【００１８】
図３は、便座装置１０（便蓋本体１４は開状態）の上面図を示す。図３において、回動支持部材１６の覆壁１６ａの端部と底壁１６ｂの端部との位置を比較すると、覆壁１６ａの端部の方が底壁１６ｂの端部よりも便座本体１２の着座面１２ｄ側にある。これにより、便座装置１０が小さく見えるため、便器本体に装着されたときに外観が良好となる。
【００１９】
図４は、図３のＡ―Ａ断面図であり、便座本体１２または便蓋本体１４が閉じ方向に回動することを阻止する阻止部材３０ａ、３０ｂについて説明するための図である。図４において、阻止部材３０ａは、便座本体１２の一端部１２ａに形成された軸１２ａ１を軸支しており、便座本体１２と便器本体とのなす角度が５０度に達すると、軸１２ａ１が閉じ方向に回動することを阻止するように機能する。また、阻止部材３０ｂは、便蓋本体１４の他端部１４ｂに形成された軸１４ｂ１を軸支しており、便蓋本体１４と便器本体とのなす角度が５０度に達すると、軸１４ｂ１が閉じ方向に回動することを阻止するように機能する。なお、便座本体１２の一端部１２ａに形成された軸１２ｂ２には、便蓋本体１４の一端部１４ａが空回りするように組み付けられている。また、便蓋本体１４の他端部１４ｂに形成された軸１４ｂ１には、便座本体１２の他端部１２ｂが空回りするように組み付けられている。
【図面の簡単な説明】
【図１】図１は、本発明に係る便座装置１０の外観を示す斜視図。
【図２】図２は、便座装置１０の側面図。
【図３】図３は、  便座装置１０（便蓋本体１４は開状態）の上面図。
【図４】図４は、図３のＡ―Ａ断面図。
【符号の説明】
１０…便座装置、１２…便座本体、１２ａ…一端部、  １２ｂ…他端部、
１２ｃ…軸心、１２ｄ…着座面、１４…便蓋本体、１４ａ…一端部
１４ｂ…他端部、１４ｃ…軸心、１４ｄ…上面、１６…回動支持部材
１６ａ…覆壁、１６ｂ…底壁、１６ｃ…支持部、２０…ノズル
３０ａ、３０ｂ…阻止部材
【図１】
0003648920.tif 000002
【図２】
0003648920.tif 000003
【図３】
0003648920.tif 000004
【図４】
0003648920.tif 000005